(57)【要約】本発明は、多重搬送波システムのネットワーク管理デバイスにおいてユーザ機器との通信を処理する方法を提供する。この方法は、ユーザ機器のために第１個数の独立搬送波をアクティブ化し、それぞれユーザ機器のためにそれぞれの独立搬送波に対応するユーザ機器識別子を割り当てるステップと、第２個数の従属搬送波がユーザ機器のためにアクティブ化されるかどうかを判定するステップと、そうである場合に、それぞれユーザ機器のためにそれぞれの従属搬送波に対応するユーザ機器識別子を割り当て、従属搬送波ごとに、従属搬送波に対応する、ユーザ機器に割り当てられたユーザ機器識別子に基づいて、従属搬送波上のユーザ機器の情報を処理するステップ、または第１個数の独立搬送波のうちの少なくとも１つに対応する、ユーザ機器に割り当てられたユーザ機器識別子に基づいて、それぞれの従属搬送波上のユーザ機器の情報を処理するステップのいずれかを実行するステップとを含む。
2013506351.tif 000002
【特許請求の範囲】
【請求項１】
多重搬送波システムのネットワーク管理デバイスにおいてユーザ機器との通信を処理する方法であって、
ａ．ユーザ機器のために第１個数の独立搬送波をアクティブ化し、それぞれ前記ユーザ機器のためにそれぞれの前記独立搬送波に対応するユーザ機器識別子を割り当てるステップと、
ｂ．第２個数の従属搬送波が前記ユーザ機器のためにアクティブ化されるかどうかを判定するステップと、
ｃ．第２個数の従属搬送波が前記ユーザ機器のためにアクティブ化される場合に、
ｉ．それぞれ前記ユーザ機器のためにそれぞれの前記従属搬送波に対応するユーザ機器識別子を割り当て、前記従属搬送波ごとに、前記従属搬送波に対応する、前記ユーザ機器に割り当てられた前記ユーザ機器識別子に基づいて、前記従属搬送波上の前記ユーザ機器の情報を処理するステップ、または
Ｉ．前記第１個数の独立搬送波のうちの少なくとも１つに対応する、前記ユーザ機器に割り当てられた前記ユーザ機器識別子に基づいて、それぞれの前記従属搬送波上の前記ユーザ機器の情報を処理するステップ
のいずれかを実行するステップと
を含み、前記割り当てられたユーザ機器識別子のいずれもが、その対応する搬送波上で一意である、方法。
【請求項２】
前記ステップＩで、前記従属搬送波のいずれかの搬送波上の前記ユーザ機器の前記情報を処理するための前記ユーザ機器識別子は、前記ネットワーク管理デバイスが前記従属搬送波に対応する制御シグナリングをそれを介して前記ユーザ機器に送信する前記独立搬送波に対応する、請求項１に記載の方法。
【請求項３】
前記ステップＩで、前記従属搬送波のいずれかの搬送波上の前記ユーザ機器の前記情報を処理するための前記ユーザ機器識別子は、前記ネットワーク管理デバイスが前記従属搬送波に対応するリソース割当情報をそれを介して前記ユーザ機器に送信する前記独立搬送波に対応する、請求項２に記載の方法。
【請求項４】
−前記ユーザ機器について非アクティブ化される１つまたは複数の独立搬送波または従属搬送波があるかどうかを判定するステップと、
−前記ユーザ機器について非アクティブ化される少なくとも１つの独立搬送波または従属搬送波がある場合に、前記１つまたは複数の独立搬送波または従属搬送波に対応する１つまたは複数の以前に割り当てられた前記ユーザ機器識別子を解放するように前記ユーザ機器に指示するステップと
をさらに含む、請求項１乃至３のいずれか１項に記載の方法。
【請求項５】
多重搬送波システムのユーザ機器においてネットワーク管理デバイスと通信する方法であって、
ｌ．前記ユーザ機器のためにアクティブ化される第１個数の独立搬送波に対応する、前記ネットワーク管理デバイスから送信されたユーザ機器識別子を受信するステップと、
ｍ．前記ネットワーク管理デバイスが前記ユーザ機器のために第２個数の従属搬送波をアクティブ化するときに、
ｘ．それぞれの前記従属搬送波に対応する、前記ネットワーク管理デバイスから送信されたユーザ機器識別子を受信し、前記従属搬送波ごとに、前記従属搬送波に対応する、前記ユーザ機器に割り当てられた前記ユーザ機器識別子に基づいて、前記従属搬送波上の前記ユーザ機器の情報を処理するステップ、または
ｙ．前記第１個数の独立搬送波のうちの少なくとも１つに対応する前記受信されたユーザ機器識別子に基づいて、それぞれの前記従属搬送波上の前記ユーザ機器の情報を処理するステップ
のいずれかを実行するステップと
を含む方法。
【請求項６】
前記ステップｙで、前記従属搬送波のいずれかの搬送波上の前記ユーザ機器の前記情報を処理するための前記ユーザ機器識別子は、前記ネットワーク管理デバイスが前記従属搬送波に対応する制御シグナリングをそれを介して前記ユーザ機器に送信する前記独立搬送波に対応する、請求項５に記載の方法。
【請求項７】
前記ステップｙで、前記従属搬送波のいずれかの搬送波上の前記ユーザ機器の前記情報を処理するための前記ユーザ機器識別子は、前記ネットワーク管理デバイスが前記従属搬送波に対応するリソース割当情報をそれを介して前記ユーザ機器に送信する前記独立搬送波に対応する、請求項６に記載の方法。
【請求項８】
多重搬送波システムのネットワーク管理デバイスにおいてユーザ機器との通信を処理する第１装置であって、
ユーザ機器のために第１個数の独立搬送波をアクティブ化し、それぞれ前記ユーザ機器のためにそれぞれの前記独立搬送波に対応するユーザ機器識別子を割り当てる第１ユニットと、
第２個数の従属搬送波が前記ユーザ機器のためにアクティブ化されるかどうかを判定する判定手段と、
第２個数の従属搬送波が前記ユーザ機器のためにアクティブ化される場合に、
−それぞれ前記ユーザ機器のためにそれぞれの前記従属搬送波に対応するユーザ機器識別子を割り当て、前記従属搬送波ごとに、前記従属搬送波に対応する、前記ユーザ機器に割り当てられた前記ユーザ機器識別子に基づいて、前記従属搬送波上の前記ユーザ機器の情報を処理すること、または
−前記第１個数の独立搬送波のうちの少なくとも１つに対応する、前記ユーザ機器に割り当てられた前記ユーザ機器識別子に基づいて、それぞれの前記従属搬送波上の前記ユーザ機器の情報を処理すること
のいずれかを実行する第２ユニットと
を含み、前記割り当てられたユーザ機器識別子のいずれもが、その対応する搬送波上で一意である、第１装置。
【請求項９】
前記第２ユニットが前記従属搬送波のいずれかの搬送波上の前記ユーザ機器の前記情報を処理するための前記ユーザ機器識別子は、前記ネットワーク管理デバイスが前記従属搬送波に対応する制御シグナリングをそれを介して前記ユーザ機器に送信する前記独立搬送波に対応する、請求項８に記載の第１装置。
【請求項１０】
前記第２ユニットが前記従属搬送波のいずれかの搬送波上の前記ユーザ機器の前記情報を処理するための前記ユーザ機器識別子は、前記ネットワーク管理デバイスが前記従属搬送波に対応するリソース割当情報をそれを介して前記ユーザ機器に送信する前記独立搬送波に対応する、請求項９に記載の第１装置。
【請求項１１】
前記判定手段が、さらに、前記ユーザ機器について非アクティブ化される１つまたは複数の独立搬送波または従属搬送波があるかどうかを判定するためのものであり、
前記ユーザ機器について非アクティブ化される少なくとも１つの独立搬送波または従属搬送波がある場合に、前記１つまたは複数の独立搬送波または従属搬送波に対応する１つまたは複数の以前に割り当てられた前記ユーザ機器識別子を解放するように前記ユーザ機器に指示する指示手段が、さらに含まれる、請求項８乃至１０のいずれか１項に記載の第１装置。
【請求項１２】
多重搬送波システムのユーザ機器においてネットワーク管理デバイスと通信する第２装置であって、
前記ユーザ機器のためにアクティブ化される第１個数の独立搬送波に対応する、前記ネットワーク管理デバイスから送信されたユーザ機器識別子を受信する受信手段と、
前記ネットワーク管理デバイスが前記ユーザ機器のために第２個数の従属搬送波をアクティブ化するときに、
−それぞれの前記従属搬送波に対応する、前記ネットワーク管理デバイスから送信されたユーザ機器識別子を受信し、前記従属搬送波ごとに、前記従属搬送波に対応する、前記ユーザ機器に割り当てられた前記ユーザ機器識別子に基づいて、前記従属搬送波上の前記ユーザ機器の情報を処理すること、または
−前記第１個数の独立搬送波のうちの少なくとも１つに対応する前記受信されたユーザ機器識別子に基づいて、それぞれの前記従属搬送波上の前記ユーザ機器の情報を処理すること
のいずれかを実行する第３ユニットと
を含む第２装置。
【請求項１３】
前記第３ユニットが前記従属搬送波のいずれかの搬送波上の前記ユーザ機器の前記情報を処理するための前記ユーザ機器識別子は、前記ネットワーク管理デバイスが前記従属搬送波に対応するリソース割当情報をそれを介して前記ユーザ機器に送信する前記独立搬送波に対応する、請求項１２に記載の第２装置。
【請求項１４】
請求項８乃至１１のいずれか１項に記載の前記第１装置を含む、多重搬送波システムのネットワーク管理デバイス。
【請求項１５】
請求項１２または１３に記載の前記第２装置を含む、多重搬送波システムのユーザ機器デバイス。
【発明の詳細な説明】
【技術分野】
【０００１】
本開示は、無線通信ネットワークにおいて通信を処理する方法および装置に関し、より具体的には、多重搬送波無線通信ネットワークにおいてネットワーク管理デバイスとユーザ機器との間の通信を処理する方法および装置に関する。
【背景技術】
【０００２】
キャリア・アグリゲーション（Ｃａｒｒｉｅｒ  Ａｇｇｒｅｇａｔｉｏｎ）（ＣＡ）が、システムの性能を改善するための重要な技術としてＬＴＥ−Ａｄｖａｎｃｅｄ（ＬＴＥＡ）で採用されている。ＬＴＥＡは、３タイプの搬送波成分すなわち、後方互換（ｂａｃｋｗａｒｄ  ｃｏｍｐａｔｉｂｌｅ）搬送波成分、非後方互換（ｎｏｎ−ｂａｃｋｗａｒｄ  ｃｏｍｐａｔｉｂｌｅ）搬送波成分、およびスタンドアロン（ｓｔａｎｄａｌｏｎｅ）搬送波成分を定義する。具体的に言うと、ＬＴＥベースのユーザ機器（以下ではＬＴＥユーザ機器）は、後方互換搬送波成分だけにアクセスでき、ＬＴＥＡベースのユーザ機器（以下ではＬＴＥＡユーザ機器は、後方互換搬送波成分と非後方互換搬送波成分との両方にアクセスでき、スタンドアロン搬送波成分は、別々にアクセスされ得ない。言い換えると、ＬＴＥＡユーザ機器は、後方互換搬送波成分および／または非後方互換搬送波成分にアクセスした後に限ってスタンドアロン搬送波成分にアクセスすることができる。
【０００３】
ＬＴＥシステムでは、ＬＴＥユーザ機器は、１つの搬送波成分だけにアクセスでき、たとえば基地局などのネットワーク管理デバイスは、搬送波成分を介してユーザ機器のユーザ機器識別子としてセル一時識別子（Ｃ−ＲＮＴＩ）をＬＴＥユーザ機器に割り当てる。
【０００４】
しかし、ＬＴＥシステムとは異なって、ＬＴＥＡシステムは、多重搬送波システムであり、上で説明したように、ＬＴＥＡユーザ機器は、複数の搬送波成分にアクセスすることができる。そのような多重搬送波システムで情報の正しい処理をどのようにして保証するのかが、非常に重要な問題になったが、明らかに、ＬＴＥシステムでの単一搬送波を用いる既存の解決策は、これに適用することができない。
【発明の概要】
【発明が解決しようとする課題】
【０００５】
これを考慮して、ネットワーク管理デバイスとユーザ機器との間の通信の処理に対する新しい解決策の必要がある。
【課題を解決するための手段】
【０００６】
従来技術の前述の問題に対処するために、本発明は、ネットワーク管理デバイスが、ユーザ機器のためにアクティブ化されるそれぞれの独立搬送波（ｉｎｄｅｐｅｎｄｅｎｔ  ｃａｒｒｉｅｒ）のためにそれぞれ対応するユーザ機器識別子を割り当てることを提案する。特に、２つの独立搬送波を例に挙げると、第１独立搬送波に対応する、ユーザ機器のために割り当てられる第１ユーザ機器識別子は、第２独立搬送波に対応する第２ユーザ機器識別子と同一であっても異なってもよい。しかし、ネットワーク管理デバイスは、情報の正しい処理を保証するために、複数のユーザ機器のために、同一の独立搬送波に対応する異なるユーザ機器識別子を割り当てる。
【０００７】
その後、従属搬送波（ｄｅｐｅｎｄｅｎｔ  ｃａｒｒｉｅｒ）が、増加したリソース需要または別の理由に起因して、ユーザ機器のためにさらにアクティブ化されなければならない場合があり、その後、従属搬送波上のユーザ機器の情報を処理するためのユーザ機器識別子を、２つの実施態様で使用可能とすることができ、この実施態様の１つでは、独立搬送波に似て、ネットワーク管理デバイスは、そのユーザ機器のために、新たにアクティブ化された従属搬送波に対応するユーザ機器識別子をさらに割り当てる。特に、当業者は、ネットワーク管理デバイスが、情報の正しい処理を保証するために、複数のユーザ機器のために、同一の従属搬送波に対応する異なるユーザ機器識別子をも割り当てることを了解することができる。
【０００８】
具体的には、本発明の一実施形態に従って、多重搬送波システムのネットワーク管理デバイスにおいてユーザ機器との通信を処理する方法であって、ａ．ユーザ機器のために第１個数の独立搬送波をアクティブ化し、それぞれユーザ機器のためにそれぞれの独立搬送波に対応するユーザ機器識別子を割り当てるステップと、ｂ．第２個数の従属搬送波がユーザ機器のためにアクティブ化されるかどうかを判定するステップと、ｃ．第２個数の従属搬送波がユーザ機器のためにアクティブ化される場合に、ｉ．それぞれユーザ機器のためにそれぞれの従属搬送波に対応するユーザ機器識別子を割り当て、従属搬送波ごとに、従属搬送波に対応する、ユーザ機器に割り当てられたユーザ機器識別子に基づいて、従属搬送波上のユーザ機器の情報を処理するステップ、またはＩ．第１個数の独立搬送波のうちの少なくとも１つに対応する、ユーザ機器に割り当てられたユーザ機器識別子に基づいて、それぞれの従属搬送波上のユーザ機器の情報を処理するステップのいずれかを実行するステップとを含み、割り当てられたユーザ機器識別子のいずれもが、その対応する搬送波上で一意である方法が提供される。
【０００９】
好ましくは、ステップＩで、従属搬送波のいずれかの搬送波上のユーザ機器の情報を処理するためのユーザ機器識別子は、ネットワーク管理デバイスが従属搬送波に対応する制御シグナリングをそれを介してユーザ機器に送信する独立搬送波に対応する。
【００１０】
より好ましくは、ステップＩで、従属搬送波のいずれかの搬送波上のユーザ機器の情報を処理するためのユーザ機器識別子は、ネットワーク管理デバイスが従属搬送波に対応するリソース割当情報をそれを介してユーザ機器に送信する独立搬送波に対応する。
【００１１】
好ましくは、この方法は、ユーザ機器について非アクティブ化される１つまたは複数の独立搬送波または従属搬送波があるかどうかを判定するステップと、ユーザ機器について非アクティブ化される少なくとも１つの独立搬送波または従属搬送波がある場合に、１つまたは複数の独立搬送波または従属搬送波に対応する１つまたは複数の以前に割り当てられたユーザ機器識別子を解放するようにユーザ機器に指示するステップとをさらに含む。
【００１２】
本発明のもう１つの実施形態によれば、多重搬送波システムのユーザ機器においてネットワーク管理デバイスと通信する方法であって、ｌ．ユーザ機器のためにアクティブ化される第１個数の独立搬送波に対応する、ネットワーク管理デバイスから送信されたユーザ機器識別子を受信するステップと、ｍ．ネットワーク管理デバイスがユーザ機器のために第２個数の従属搬送波をアクティブ化するときに、ｘ．それぞれの従属搬送波に対応する、ネットワーク管理デバイスから送信されたユーザ機器識別子を受信し、従属搬送波ごとに、従属搬送波に対応する、ユーザ機器に割り当てられたユーザ機器識別子に基づいて、従属搬送波上のユーザ機器の情報を処理するステップ、またはｙ．第１個数の独立搬送波のうちの少なくとも１つに対応する受信されたユーザ機器識別子に基づいて、それぞれの従属搬送波上のユーザ機器の情報を処理するステップのいずれかを実行するステップとを含む方法が提供される。
【００１３】
好ましくは、ステップｙで、従属搬送波のいずれかの搬送波上のユーザ機器の情報を処理するためのユーザ機器識別子は、ネットワーク管理デバイスが従属搬送波に対応する制御シグナリングをそれを介してユーザ機器に送信する独立搬送波に対応する。
【００１４】
より好ましくは、ステップｙで、従属搬送波のいずれかの搬送波上のユーザ機器の情報を処理するためのユーザ機器識別子は、ネットワーク管理デバイスが従属搬送波に対応するリソース割当情報をそれを介してユーザ機器に送信する独立搬送波に対応する。
【００１５】
本発明のもう１つの実施形態によれば、多重搬送波システムのネットワーク管理デバイスにおいてユーザ機器との通信を処理する第１装置であって、ユーザ機器のために第１個数の独立搬送波をアクティブ化し、それぞれユーザ機器のためにそれぞれの独立搬送波に対応するユーザ機器識別子を割り当てる第１ユニットと、第２個数の従属搬送波がユーザ機器のためにアクティブ化されるかどうかを判定する判定手段と、第２個数の従属搬送波がユーザ機器のためにアクティブ化される場合に、−それぞれユーザ機器のためにそれぞれの従属搬送波に対応するユーザ機器識別子を割り当て、従属搬送波ごとに、従属搬送波に対応する、ユーザ機器に割り当てられたユーザ機器識別子に基づいて、従属搬送波上のユーザ機器の情報を処理すること、または−第１個数の独立搬送波のうちの少なくとも１つに対応する、ユーザ機器に割り当てられたユーザ機器識別子に基づいて、それぞれの従属搬送波上のユーザ機器の情報を処理することのいずれかを実行する第２ユニットとを含み、割り当てられたユーザ機器識別子のいずれもが、その対応する搬送波上で一意である第１装置が提供される。
【００１６】
好ましくは、第２ユニットが従属搬送波のいずれかの搬送波上のユーザ機器の情報を処理するためのユーザ機器識別子は、ネットワーク管理デバイスが従属搬送波に対応する制御シグナリングをそれを介してユーザ機器に送信する独立搬送波に対応する。
【００１７】
より好ましくは、第２ユニットが従属搬送波のいずれかの搬送波上のユーザ機器の情報を処理するためのユーザ機器識別子は、ネットワーク管理デバイスが従属搬送波に対応するリソース割当情報をそれを介してユーザ機器に送信する独立搬送波に対応する。
【００１８】
好ましくは、判定手段が、さらに、ユーザ機器について非アクティブ化される１つまたは複数の独立搬送波または従属搬送波があるかどうかを判定するためのものであり、ユーザ機器について非アクティブ化される少なくとも１つの独立搬送波または従属搬送波がある場合に、１つまたは複数の独立搬送波または従属搬送波に対応する１つまたは複数の以前に割り当てられたユーザ機器識別子を解放するようにユーザ機器に指示する指示手段が、さらに含まれる。
【００１９】
本発明のさらなる実施形態によれば、多重搬送波システムのユーザ機器においてネットワーク管理デバイスと通信する第２装置であって、ユーザ機器のためにアクティブ化される第１個数の独立搬送波に対応する、ネットワーク管理デバイスから送信されたユーザ機器識別子を受信する受信手段と、ネットワーク管理デバイスがユーザ機器のために第２個数の従属搬送波をアクティブ化するときに−それぞれの従属搬送波に対応する、ネットワーク管理デバイスから送信されたユーザ機器識別子を受信し、従属搬送波ごとに、従属搬送波に対応する、ユーザ機器に割り当てられたユーザ機器識別子に基づいて、従属搬送波上のユーザ機器の情報を処理すること、または−第１個数の独立搬送波のうちの少なくとも１つに対応する受信されたユーザ機器識別子に基づいて、それぞれの従属搬送波上のユーザ機器の情報を処理することとのいずれかを実行する第３ユニットとを含む第２装置が提供される。
【００２０】
好ましくは、第３ユニットが従属搬送波のいずれかの搬送波上のユーザ機器の情報を処理するためのユーザ機器識別子は、ネットワーク管理デバイスが従属搬送波に対応するリソース割当情報をそれを介してユーザ機器に送信する独立搬送波に対応する。
【００２１】
本発明の一態様によれば、前述の第１装置を含むネットワーク管理デバイスが提供される。
【００２２】
本発明の一態様によれば、前述の第２装置を含むユーザ機器が提供される。
【００２３】
本発明の理解を容易にするために、この文脈に現れるいくつかの概念を、下で説明する。
【００２４】
アクティブ化される  搬送波がユーザ機器のためにアクティブ化されることは、その搬送波上の無線リソースが、そのユーザ機器に割り当てられることを意味し、対応して、搬送波がユーザ機器について非アクティブ化されることは、ネットワーク管理デバイスが、以前にそのユーザ機器に割り当てられた搬送波上の無線リソースを回収し、その後、搬送波が、そのユーザ機器に関して非アクティブ化されることを意味する。
【００２５】
独立搬送波および従属搬送波  この文脈では、搬送波成分内の、別々にアクセスできる搬送波を独立搬送波と称し、搬送波成分内の、別々にはアクセスできない搬送波を従属搬送波と称する。当業者は、この文脈で、独立搬送波が、後方互換搬送波成分および非後方互換搬送波成分内の搬送波に限定されず、従属搬送波が、独立搬送波成分内の搬送波に限定されないことを了解することができる。ＬＴＥＡシステムを例に挙げると、複数の搬送波を、無線周波数帯全体に含めることができ、これらの搬送波のうちの１つまたは複数は、独立搬送波に属するが、別の１つまたは複数は、従属搬送波に属する。本発明の発想は、搬送波の特定の分類によって影響を受けない。本発明では、従属搬送波の通常の例は、制御シグナリングがそれを介して搬送されない独立搬送波成分内の搬送波である。
【００２６】
第１個数および第２個数  前述の第１個数は、１以上の整数とすることができる。
【００２７】
ユーザ機器識別子  アップリンク通信またはダウンリンク通信を実行するために、ユーザ機器が、ユーザ機器識別子によって示されるリソース割当情報から、ネットワーク管理デバイスとの通信に関する特定のネットワーク・リソース、たとえば特定の周波数、タイムスロット、擬似コードなどの使用を知ることができるようにするために、ユーザ機器識別子がユーザ機器に割り当てられなければならない。あるユーザ機器のアップリンク情報およびダウンリンク情報をお互いから区別するために、異なるユーザ機器識別子が、同一搬送波上で異なるユーザ機器に割り当てられなければならない。ユーザ機器のユーザ機器識別子を、衝突を全く伴わずに異なる搬送波の間で多重化することができる。
【００２８】
ネットワーク管理デバイス  これは、ユーザ機器と通信し、管理責任を実行する、たとえば基地局などのさまざまなネットワーク・デバイスを指す。無線通信の分野での開発と一緒に、これが、異なって命名され、実施される場合があるが、この文脈でのネットワーク管理デバイスは、さまざまな穏当な変形形態を包含すると解釈されなければならない。
【００２９】
情報の処理  この文脈では、情報の処理は、シグナリングまたはデータの符号化および復号と、物理層でのデータのシグナリングの別の処理とを含むが、これに限定されない。
【００３０】
多重搬送波システム  この文脈で言及される多重搬送波システムは、搬送波のうちの１つだけが現在実際に使用中である場合であっても、複数の搬送波があるシステムを指す。
【００３１】
前述のおよび他の概念および定義は、この文脈で次のさらなる詳細な説明を読むときに明白になり、たやすく理解されるであろう。
【００３２】
本発明では、ユーザ識別子は、多重搬送波システム内で割り当てられ、これによって複数の搬送波上での情報の有効な処理をサポートすることを可能にする解決策が、提供される。さらに、ユーザ機器のために割り当てられ、１つの搬送波に対応するユーザ機器識別子を、別の搬送波に対応する、そのユーザ機器または別のユーザ機器のユーザ機器識別子として使用することができ、したがって、サポートされるユーザ機器の個数が、大幅に増やされる。
【００３３】
本発明の他の特徴および利益は、図面を参照する本発明の少なくとも１つの非限定的な実施形態の次の説明からより明瞭かつ明白になる。
【図面の簡単な説明】
【００３４】
【図１】無線通信ネットワークを示す図である。
【図２】本発明の一実施形態による搬送波の分布を示す図である。
【図３ａ】本発明の一実施形態による多重搬送波システムでネットワーク管理デバイスとユーザ機器との間の通信を処理する系統的方法を示す流れ図である。
【図３ｂ】本発明のもう１つの実施形態による多重搬送波システムでネットワーク管理デバイスとユーザ機器との間の通信を処理する系統的方法を示す流れ図である。
【図４】多重搬送波システムのネットワーク管理デバイスにおいてユーザ機器との通信を処理する第１装置を示すブロック図である。
【図５】多重搬送波システムのユーザ機器においてネットワーク管理デバイスと通信する第２装置を示すブロック図である。
【発明を実施するための形態】
【００３５】
同一のまたは同様の符号は、すべての図を通じて同一のまたは同様の技術的特徴を表す。
【００３６】
本発明の通常の応用シナリオを図１に示し、図１では、基地局１は、セル内の複数のユーザ機器にサービスするが、簡潔さのためにユーザ機器２１から２３だけが図示されている。図１に示されたネットワークは、特に多重搬送波環境で動作し、図２に示された４つの搬送波が、一般性を失わずに定義され、ここで、搬送波Ａは、周波数ｆ１とｆ２との間に配置され、搬送波Ｂは、周波数ｆ２とｆ３との間に配置され、搬送波Ｃは、周波数ｆ３とｆ４との間に配置され、搬送波Ｄは、周波数ｆ４とｆ５との間に配置される。図２の搬送波の個数は、本発明の範囲を限定するものと解釈されてはならず、本発明の実用的応用では、基地局から使用可能なより多数またはより少数（たとえば、３つなど）の搬送波がある。重要なことに、従来技術での搬送波の分類を、本発明にたやすく適用可能とすることができる。
【００３７】
一般性を失わずに、基地局１およびユーザ機器２１から２３は、ＬＴＥＡシステムに属し、さらに、図２の搬送波ＡおよびＢは、後方互換搬送波成分に属すると定義され、搬送波Ｃは、非後方互換搬送波成分に属し、搬送波Ｄは、スタンドアロン搬送波成分に属する。すると、この例では、搬送波Ａ、Ｂ、およびＣは、独立搬送波であり、下では独立搬送波Ａ、Ｂ、およびＣとも称し、搬送波Ｄは、従属搬送波であり、従属搬送波とも称する。
【００３８】
本発明の応用シナリオの知識を用いて、本発明による方法を、流れ図を参照して詳細に紹介する。図３ａに、図１および図２を参照し、主に基地局１およびユーザ機器２１を例として挙げて、本発明の一実施形態による多重搬送波システムでネットワーク管理デバイスとユーザ機器との間の通信を処理する系統的方法の流れ図を示す。
【００３９】
図３ａに示された流れ図は、ステップＳ１１から始まり、ステップＳ１１では、基地局１が、ランダム・アクセス・プロセス中にユーザ機器２１のために第１個数の独立搬送波をアクティブ化する。ここで、アクティブ化される独立搬送波の個数は、ユーザ機器２１のリソース需要および搬送波の分類に依存する。本発明の一実施形態では、基地局１は、まず、ユーザ機器２１のために搬送波Ａをアクティブ化することができ、その後、搬送波Ａがユーザ機器２１のトラフィック需要を満足できないときに、ユーザ機器２１のために別の搬送波、たとえば搬送波Ｂをアクティブ化することができる。
【００４０】
その結果、独立搬送波Ａが、この例ではステップＳ１１でユーザ機器２１のためにアクティブ化される。
【００４１】
その後、それぞれの独立搬送波に対応するユーザ機器識別子が、表１に示されているようにステップＳ１２でユーザ機器２１のために割り当てられ、表１では、別のユーザ機器２３の割り当てられたユーザ機器識別子も、その比較の便宜のために示されている。
【００４２】
【表１】
2013506351.tif 000003
【００４３】
表１から明白であるように、基地局１は、異なるユーザ機器のために、同一の独立搬送波に対応する異なるユーザ機器識別子を割り当てる。同一のユーザ機器について、基地局１は、異なる独立搬送波に対応する同一のまたは異なるユーザ機器識別子をこれに割り当てることができる。さらに、ある独立搬送波があるユーザ機器について非アクティブ化される場合に、そのユーザ機器２３は、対応するユーザ機器識別子を解放し、このユーザ機器識別子は、衝突を全く伴わずに、その独立搬送波に対応するユーザ機器識別子として別のユーザ機器に割り当てられ得る。
【００４４】
ステップＳ１１およびステップＳ１２が、図３ａではその順序で実行されるものとして図示されているが、当業者は、対応するユーザ機器識別子を、独立搬送波が確立された直後に割り当てることができ、その後、次の独立搬送波をアクティブ化することができ、対応するユーザ機器識別子をこれに割り当てることができることを了解することができる。
【００４５】
たとえば図１に示されたユーザ機器２２などのＬＴＥユーザ機器について、基地局１は、たとえば搬送波ＡおよびＢなどの複数の独立搬送波がそのユーザ機器のためにアクティブ化されるときに、ユーザ機器２２のためにユーザ機器識別子を割り当て、ここで、搬送波Ａに対応するユーザ機器識別子は、搬送波Ｂに対応するユーザ機器識別子と同一であっても異なってもよい。
【００４６】
ユーザ機器２１の側では、ユーザ機器２１は、対応して、基地局１から送信されたそれぞれのユーザ機器識別子を受信し、具体的には、図３ａに示されたユーザ機器識別子を割り当てるプロセスを、ＬＴＥシステムに既に存在するＲＡＣＨ送信プロセスとして実施し、ＬＴＥＡシステム内でその使用を継続することができる。
【００４７】
独立搬送波Ａに対応するユーザ機器識別子０００１を獲得した後に、ユーザ機器２１は、基地局１から独立搬送波Ａ上で送信されるすべての情報の復号および他のプロセスを含む物理層での一連のプロセスを実行するのにこの識別子を使用することができ、独立搬送波Ａ上で基地局に送信されるすべての情報に対する符号化および他のプロセスを含む物理層での一連のプロセスを実行するのにこの識別子を使用することができる。情報は、Ｐｈｙｓｉｃａｌ  Ｄｏｗｎｌｉｎｋ  Ｃｏｎｔｒｏｌ  Ｃｈａｎｎｅｌ（ＰＤＣＣＨ）およびＰｈｙｓｉｃａｌ  Ｄｏｗｎｌｉｎｋ  Ｓｈａｒｅｄ  Ｃｈａｎｎｅｌ（ＰＤＳＣＨ）上のシグナリング、データなどを含む。
【００４８】
その後、ユーザ機器２１は、独立搬送波Ａ上のみでは対処できない増やされた量のトラフィックを有し、したがって、情報のブロックに起因するパッケージの消失または別の悪条件をもたらし、その後、基地局１は、好ましくは、ユーザ機器２１のために独立搬送波Ａ以外の別の搬送波をさらにアクティブ化し、ここで、たとえばおそらくは周波数の昇順でまたはランダムに搬送波をアクティブ化することによって、別の搬送波を異なって選択するための異なる判断基準がある可能性があり、さらに、独立搬送波が使い果たされた場合には従属搬送波を使用することができるが、本発明は、これに限定されない。
【００４９】
この例では、搬送波は、一般性を失わずに周波数の昇順でアクティブ化され、ユーザ機器２１の増加するトラフィック需要に伴って、独立搬送波Ａより高い周波数の独立搬送波ＢおよびＣも、ユーザ機器２１のために順次アクティブ化され、したがって、基地局１は、対応するユーザ機器識別子をこれらに割り当てる。ユーザ機器２３の割り当てられたユーザ機器識別子の変化がないと仮定すると、割り当てられたユーザ機器識別子の新しい状態は、表２に示されたものである。
【００５０】
【表２】
2013506351.tif 000004
【００５１】
表２は、さらに、異なる搬送波に対応する同一のまたは異なるユーザ機器識別子を同一のユーザ機器のために割り当てることができることを示す。
【００５２】
この例では、基地局１は、ＲＲＣシグナリングで独立搬送波ＢおよびＣに対応するユーザ機器識別子０００１および００１０を送信し、ユーザ機器２１は、この２つの識別子の受信時に、対応する独立搬送波上のユーザ機器の情報を処理するのにこの２つの識別子を使用し、この情報は、ＰＤＣＣＨおよびＰＤＣＳＨ上のシグナリング、データなどを含む。
【００５３】
ステップＳ１３は、実施態様ごとに異なる状態の下でトリガされる判定ステップである。たとえば、搬送波が、周波数の昇順でアクティブ化されるときに、図２の従属搬送波Ｄは、限定を全く伴わずに最高の周波数にあり、したがって、従属搬送波Ｄは、すべての独立搬送波がユーザ機器２１のためにアクティブ化された後に限ってアクティブ化され得、したがって、ステップＳ１３での判定は、これによって基地局１でハードウェア・リソースを節約するのを容易にするためにすべての独立搬送波がアクティブ化された後に実行をトリガされ得、また、異なって、搬送波がランダムにまたは他の形でトリガされ、その結果、従属搬送波Ｄが独立搬送波と同一の可能性でトリガされる場合には、ステップＳ１３は、ステップＳ１１の後に周期的に実行され、待ち時間期間があるか、条件が満足されないときに即座に行われる別の判定がある。
【００５４】
搬送波がトリガされる順序にかかわりなく、基地局１は、基地局がユーザ機器２１のために第２個数の従属搬送波をトリガした後に、ステップＳ１４で、これらの従属搬送波に対応するユーザ機器識別子をユーザ機器２１のために割り当てる。この例では、第２個数は、１の値をとり、当業者は、従属搬送波の個数が、たとえば図２に示されたものとは異なる３つである場合に、ここでの第２個数が３の値をとることができることを了解することができる。
【００５５】
その後、ステップＳ１４の後の割り当てられたユーザ機器は、表３に示されたものになり、ここで、ユーザ機器２３の増やされたトラフィック需要もあると仮定され、基地局１は、そのユーザ機器のために従属搬送波Ｄをもアクティブ化する。
【００５６】
【表３】
2013506351.tif 000005
【００５７】
表３からわかるように、同一の従属搬送波に対応する、異なるユーザ機器のために割り当てられたユーザ機器識別子は、好ましくは、お互いとは異なり、独立搬送波と同一である。同一のユーザ機器について、基地局１は、これによってユーザ機器識別子のリソースを節約するために独立搬送波ＡおよびＢと従属搬送波Ｄとに対応する同一のユーザ機器識別子をそのユーザ機器に割り当てる。もちろん、当業者は、ユーザ機器識別子のリソースが不十分ではない場合に、異なる搬送波に対応する、ユーザ機器２１に割り当てられたユーザ機器識別子が、その代わりに、お互いと異なってもよいことを了解することができる。
【００５８】
ユーザ機器２１は、従属搬送波Ｄに対応する識別子０００１の受信時に、たとえば物理層での符号化、復号、および他の動作など、従属搬送波Ｄ上の情報を処理するのに従属搬送波Ｄに対応するユーザ機器識別子０００１を使用することができる。ＬＴＥＡシステムを例として挙げると、ユーザ機器２１は、ＰＤＣＣＨを復号し、これによって送信ＰＤＳＣＨ用の無線リソースを突き止めるために、たとえば独立搬送波Ａなどの送信ＰＤＣＣＨ用の独立搬送波に対応するユーザ機器識別子をまず使用し、その後、ユーザ機器２１は、搬送波に対応するユーザ機器識別子を使用し、ここで、送信ＰＤＳＣＨ用の無線リソースが、ＰＤＳＣＨを復号するために突き止められる。
【００５９】
ステップＳ１５は、ユーザ機器２１のためにアクティブ化されたそれぞれの独立搬送波または従属搬送波のうちの少なくとも１つがユーザ機器２１について非アクティブ化されているかどうかを基地局１が判定する、もう１つの判定プロセスである。この状況は、通常、ユーザ機器２１のトラフィックの減らされた量またはユーザ機器２１のパワーオフ・モードなどに起因して生じる。特に、アクティブ化された搬送波を、周波数の降順で、ランダムに、または他の形で、ユーザ機器２１のトラフィックの減らされた量について非アクティブ化することができ、本発明は、これに関して限定されない。当業者は、従属搬送波の存在を考慮して、従属搬送波に別々にアクセスすることができないので、従属搬送波が優先順位において優先的に非アクティブ化され、あるいは、その存在を考慮して、常に少なくとも１つのアクティブ化された独立搬送波があることを了解しなければならない。
【００６０】
この例では、従属搬送波２１は、一般性を失わずに、ユーザ機器２１について非アクティブ化され、その後、基地局１は、おそらくはＲＲＣシグナリングで、ステップＳ１６で従属搬送波Ｄに対応する割り当てられたユーザ機器識別子０００１を解放するようにユーザ機器に指示する。その後、ユーザ機器識別子０００１を、干渉／混乱を全く伴わずに、従属搬送波Ｄについて別のユーザ機器に割り当てることができる。もちろん、ユーザ機器識別子０００１が、従属搬送波Ｄについて他のユーザ機器のどれによっても使用されず、ユーザ機器２１がその後にもう一度かなり増やされた量のトラフィックを有する場合には、０００１をユーザ機器２１にもう一度割り当てることができ、あるいは、０００１がその時に従属搬送波Ｄについて別のユーザ機器によって使用済みである場合には、ユーザ機器２１のために別のユーザ機器識別子を割り当てることができ、その繰り返される説明は、ここでは省略する。
【００６１】
当業者は、ステップＳ１５およびＳ１６が、図３ａではステップＳ１３およびＳ１４の後に図示されているが、これが、従属搬送波がユーザ機器２１のためにアクティブ化された後に限ってステップＳ１５を実行できることを意味するのではなく、実際には、ステップＳ１５を、ステップＳ１２の後に、およびステップＳ１１の後にさえ実行することができることを了解することができる。ステップＳ１５で対処される搬送波は、ユーザ機器２１のためにアクティブ化される搬送波がステージごとに変化するので、ステージごとに変化する。
【００６２】
図３ａを参照して上で説明した実施形態では、基地局１は、第２個数の従属搬送波がユーザ機器２１のためにアクティブ化された後に、これらの従属搬送波に対応するユーザ機器識別子をユーザ機器２１のために割り当てる。この実施形態に対する変質剤を、下で説明する。
【００６３】
図３ｂでは、図３ａに示されたものと同一のまたは同様の部分が、図３ａに示された符号と同一の符号を用いて表され、その繰り返される説明は、ここでは省略する。図３ａとは異なるステップＳ１７を、強調を伴って下で説明する。この文脈で示唆されるように、この文脈でのより大きいまたはより小さい符号が、必ずしもステップの間の正確な順次順序を示さないことを了解されたい。
【００６４】
この例では、基地局１は、図３ａのステップＳ１４のようにユーザ機器２１のためにアクティブ化された従属搬送波Ｄに対応するユーザ機器識別子をユーザ機器２１のために特に割り当てることはしない。その代わりに、従属搬送波Ｄ上のユーザ機器２１の情報は、独立搬送波に対応する以前に割り当てられたユーザ機器識別子に基づいて基地局１１とユーザ機器２１との間で処理される。
【００６５】
ユーザ機器２１のためにアクティブ化された従属搬送波ごとに、それに対応するユーザ機器識別子がユーザ機器２１のために割り当てられた特定の独立搬送波のどれが使用されるのかを判定するという問題に対処することが望まれる。通常、従属搬送波Ｄ上のユーザ機器２１の情報を処理するためのユーザ機器識別子は、基地局１が従属搬送波Ｄに対応する制御シグナリングをそれを介してユーザ機器２１に送信する独立搬送波に対応する。より通常、従属搬送波Ｄ上のユーザ機器２１の情報を処理するためのユーザ機器識別子は、基地局１が従属搬送波Ｄに対応するリソース割当情報をそれを介してユーザ機器２１に送信する独立搬送波に対応する。具体的には、図３ｂに示された方式で動作するユーザ機器２１は、図３ｂに示された流れを実行するために基地局１と滑らかに協力できるようにするために、事前にセットされ、ステップＳ１７では、ユーザ機器２１は、ＰＤＣＣＨを復号するのにたとえば独立搬送波Ａなどの独立搬送波に対応するユーザ機器識別子を使用しながら、従属搬送波Ｄ上の割り当てられたリソースを発見し、その後、ユーザ機器２１は、従属搬送波Ｄ上のＰＤＳＣＨを復号するのに独立搬送波Ａに対応するユーザ機器識別子を使用する。
【００６６】
前述の方法に対応する、本発明による装置を、モジュール／手段の特徴と前述の方法のステップの特徴との間の対応関係を考慮して、下でブロック図で短く説明する。
【００６７】
図４に、多重搬送波システムのネットワーク管理デバイスにおいてユーザ機器との通信を処理する第１装置のブロック図を示し、図示の第１装置１００は、通常は図１に示された基地局１内に配置され、
前述のステップＳ１１および１２に対応して、ユーザ機器のために第１個数の独立搬送波をアクティブ化し、それぞれユーザ機器のためにそれぞれの独立搬送波に対応するユーザ機器識別子を割り当てる第１ユニット１００１と、
前述のステップＳ１３に対応して、第２個数の従属搬送波がユーザ機器のためにアクティブ化されるかどうかを判定する判定手段１００２と、
前述のステップＳ１４およびＳ１７に対応して、第２個数の従属搬送波がユーザ機器のためにアクティブ化される場合に、
−それぞれユーザ機器のためにそれぞれの従属搬送波に対応するユーザ機器識別子を割り当て、従属搬送波ごとに、従属搬送波に対応する、ユーザ機器に割り当てられたユーザ機器識別子に基づいて、従属搬送波上のユーザ機器の情報を処理すること、または
−第１個数の独立搬送波のうちの少なくとも１つに対応する、ユーザ機器に割り当てられたユーザ機器識別子に基づいて、それぞれの従属搬送波上のユーザ機器の情報を処理すること
のいずれかを実行する第２ユニット１００３と
を含み、割り当てられたユーザ機器識別子のいずれもが、その対応する搬送波上で一意である。
【００６８】
好ましくは、第２ユニット１００３が従属搬送波のいずれかの搬送波上のユーザ機器の情報を処理するためのユーザ機器識別子は、ネットワーク管理デバイスが従属搬送波に対応する制御シグナリングをそれを介してユーザ機器に送信する独立搬送波に対応する。
【００６９】
より好ましくは、第２ユニット１００３が従属搬送波のいずれかの搬送波上のユーザ機器の情報を処理するためのユーザ機器識別子は、ネットワーク管理デバイスが従属搬送波に対応するリソース割当情報をそれを介してユーザ機器に送信する独立搬送波に対応する。
【００７０】
本発明の実施形態によれば、第１装置１００内の判定手段１００２は、さらに、前述のステップＳ１５に対応して、ユーザ機器について非アクティブ化される１つまたは複数の独立搬送波または従属搬送波があるかどうかを判定するためのものであり、
第１装置１００は、
前述のステップＳ１６に対応して、ユーザ機器について非アクティブ化される少なくとも１つの独立搬送波または従属搬送波がある場合に、１つまたは複数の独立搬送波または従属搬送波に対応する１つまたは複数の以前に割り当てられたユーザ機器識別子を解放するようにユーザ機器に指示する指示手段１００４
をさらに含む。
【００７１】
図５に、多重搬送波システムのユーザ機器においてネットワーク管理デバイスと通信する第２装置のブロック図を示し、図示の第２装置２００は、通常、図１に示されたユーザ機器２１、２２、および２３内に配置される。ＬＴＥＡシステムを例として挙げると、ユーザ機器２１および２３は、多重搬送波対応ＬＴＥＡユーザ機器であり、したがって、第２装置２００を設けられる。それに関して従属搬送波が用いられないＬＴＥユーザ機器すなわちユーザ機器２２について、その中の第２装置２００は、比較的単純とすることができ、ステップＳ１２およびＳ１６をサポートすることと、基地局１と一緒に独立搬送波上の情報を処理することだけを必要とする。
【００７２】
第２装置２００は、
ステップＳ１２に対応して、ユーザ機器のためにアクティブ化される第１個数の独立搬送波に対応する、ネットワーク管理デバイスから送信されたユーザ機器識別子を受信する受信手段２００１と、
ステップＳ１４およびＳ１７に対応して、ネットワーク管理デバイスがユーザ機器のために第２個数の従属搬送波をアクティブ化するときに、
−それぞれの従属搬送波に対応する、ネットワーク管理デバイスから送信されたユーザ機器識別子を受信し、従属搬送波ごとに、従属搬送波に対応する、ユーザ機器に割り当てられたユーザ機器識別子に基づいて、従属搬送波上のユーザ機器の情報を処理すること、または
−第１個数の独立搬送波のうちの少なくとも１つに対応する受信されたユーザ機器識別子に基づいて、それぞれの従属搬送波上のユーザ機器の情報を処理することと
のいずれかを実行する第３ユニット２００２と
を含む。
【００７３】
好ましくは、第３ユニット２００２が従属搬送波のいずれかの搬送波上のユーザ機器の情報を処理するためのユーザ機器識別子は、ネットワーク管理デバイスが従属搬送波に対応するリソース割当情報をそれを介してユーザ機器に送信する独立搬送波に対応する。
【００７４】
当業者に明白であるように、本発明は、前述の例示的実施形態の詳細に限定されず、本発明の趣旨または本質から逸脱せずに他の特定の形態で実施され得る。したがって、実施形態は、いかなる点でも限定的ではなく例示的と解釈されなければならず、本発明の範囲は、前述の説明ではなく特許請求の範囲で定義され、したがって、本発明が特許請求の範囲およびその同等物の範囲に含まれるすべての変形形態を包含することが意図されている。請求項内のどの符号をも、それが現れる請求項を限定すると解釈してはならない。用語「ｃｏｍｐｒｉｓｉｎｇ（含む）」が、別の要素（１つまたは複数）またはステップ（１つまたは複数）を除外せず、単数形が複数形を除外しないことも明白である。システムの請求項に列挙された複数のユニットまたは手段を、その代わりに、ソフトウェアまたはハードウェアで単一のユニットまたは手段として実施することができる。単語「第１」、「第２」などは、名前を表すのであって、特定の順序を意味するのではない。
【図１】
2013506351.tif 000006
【図２】
2013506351.tif 000007
【図３ａ】
2013506351.tif 000008
【図３ｂ】
2013506351.tif 000009
【図４】
2013506351.tif 000010
【図５】
2013506351.tif 000011
【国際調査報告】
2013506351.tif 000012
2013506351.tif 000013
2013506351.tif 000014
2013506351.tif 000015
2013506351.tif 000016